(57)【要約】【課題】  電池収納部に汗や水などの水分が浸入したとしても、電気部品の半田部を浸食することがない耳穴形補聴器を提供する。【解決手段】  シェル１とフェースプレート２とからケース内部空間を形成する耳穴形補聴器において、ケース内部空間を構成する電池収納空間８とシェル内部空間９を隔てるプロテクタ１０を設けた。フェースプレート２は電池着脱用の開口部５を形成すると共に、電池接片１２，１３とインサート成型で一体成形され、プロテクタ１０は電池Ｂを覆うと共に、開口部１０ａを有する容器形状に形成され、フェースプレート２の開口部５とプロテクタ１０の開口部１０ａを接合した。【選択図】        図２
2008293865.tif 000002
【特許請求の範囲】
【請求項１】
シェルとフェースプレートとからケース内部空間を形成する耳穴形補聴器において、前記ケース内部空間を構成する電池収納空間とシェル内部空間を隔てるプロテクタを設けたことを特徴とする耳穴形補聴器。
【請求項２】
請求項１記載の耳穴形補聴器において、前記フェースプレートは電池着脱用の開口部を形成すると共に、電池接片とインサート成型で一体成形され、前記プロテクタは電池を覆うと共に、開口部を有する容器形状に形成され、前記フェースプレートの開口部と前記プロテクタの開口部を接合したことを特徴とする耳穴形補聴器。
【請求項３】
請求項２記載の耳穴形補聴器において、前記電池収納空間と前記シェル内部空間を跨ぐ前記電池接片の部位が、前記フェースプレート内に埋設されていることを特徴とする耳穴形補聴器。
【発明の詳細な説明】
【技術分野】
【０００１】
本発明は、電池収納部に防水構造を施した耳穴形補聴器に関する。
【背景技術】
【０００２】
従来の防水構造を施した耳穴形補聴器としては、回動自在な電池ホルダを開状態にしてボタン形の空気電池を電池ホルダに保持させた後に、電池ホルダを閉状態にしてボタン形の空気電池を収納する電池収納部の防水構造であって、電池ホルダが電池ホルダコアと、この電池ホルダコアを覆うと共にボタン形の空気電池をカバーして保持する弾性カバー部材から形成され、電池ホルダを閉状態にすると、弾性カバー部材が、フェースプレートの開口部と電池ホルダコアとの間に縮装され、パッキンとして作用することが知られている（例えば、特許文献１参照）。
【０００３】
【特許文献１】特開２００４−２２７９８０号公報
【発明の開示】
【発明が解決しようとする課題】
【０００４】
しかし、特許文献１に記載の耳穴形補聴器においては、電池ホルダの蓋部とフェースプレート表面との当接部に防水構造が施されているものの、電池収納空間とシェル内部空間は隔てるものがなく連通しているため、電池ホルダを開状態にした時に汗や水などの水分が電池収納部に浸入する虞がある。電池収納部に浸入した水分は、電池接片を伝わってシェル内部空間に配設されている電気部品の半田部を浸食する虞がある。
【０００５】
本発明は、従来の技術が有するこのような問題点に鑑みてなされたものであり、その目的とするところは、電池収納部に汗や水などの水分が浸入したとしても、電気部品の半田部を浸食することがない耳穴形補聴器を提供しようとするものである。
【課題を解決するための手段】
【０００６】
上記課題を解決すべく請求項１に係る発明は、シェルとフェースプレートとからケース内部空間を形成する耳穴形補聴器において、前記ケース内部空間を構成する電池収納空間とシェル内部空間を隔てるプロテクタを設けたものである。
【０００７】
請求項２に係る発明は、請求項１記載の耳穴形補聴器において、前記フェースプレートは電池着脱用の開口部を形成すると共に、電池接片とインサート成型で一体成形され、前記プロテクタは電池を覆うと共に、開口部を有する容器形状に形成され、前記フェースプレートの開口部と前記プロテクタの開口部を接合したものである。
【０００８】
請求項３に係る発明は、請求項２記載の耳穴形補聴器において、前記電池収納空間と前記シェル内部空間を跨ぐ前記電池接片の部位が、前記フェースプレート内に埋設されたものである。
【発明の効果】
【０００９】
請求項１に係る発明によれば、電池収納空間とシェル内部空間がプロテクタにより完全に隔離されるので、電池収納部に水や汗などの水分が浸入しても、その水分がシェル内部空間に配設される電気回路の半田部を浸食することがない。
【００１０】
請求項２に係る発明によれば、簡易な構成で電池収納空間とシェル内部空間を隔離することができる。
【００１１】
請求項３に係る発明によれば、電池収納空間とシェル内部空間を隙間なく隔離することができる。
【発明を実施するための最良の形態】
【００１２】
以下に本発明の実施の形態を添付図面に基づいて説明する。ここで、図１は本発明に係る耳穴形補聴器の斜視図、図２は本発明に係る耳穴形補聴器の要部断面図、図３はプロテクタの斜視図、図４はプロテクタの組み付け説明図である。
【００１３】
本発明に係る耳穴形補聴器は、図１に示すように、樹脂製のシェル１とフェースプレート２でケース体３を形成し、ケース体３の内部にボタン形の電池を収納する電池収納部を設けている。更に、ケース体３の内部には、マイクロホン、補聴処理部やイヤホンなどの補聴器を構成する電気部品が設置されている。フェースプレート２は、インサート成型で後述する電池接片と一体に成形されている。
【００１４】
フェースプレート２には、図２に示すように、電池収納部４に電池Ｂを装填するための開口部５が形成され、開口部５の縁部近傍に形成された軸部材６には、電池Ｂを保持して電池収納部４に収納する電池ホルダ７が回動自在に取り付けられている。また、開口部５がケース体３の内部を臨む側には、ケース内部空間を構成する電池収納空間８とシェル内部空間９を隔てるプロテクタ１０が設けられている。７ａは電池ホルダ７の蓋部である。
【００１５】
プロテクタ１０は、図３に示すように、ボタン形の電池Ｂの一部を覆うべく電池の形状に沿った略半円形状で、開口部１０ａを有する容器形状に形成されている。プロテクタ１０の形状は電池の形状に沿ったもので無くとも、電池を覆うことができればよい。そして、プロテクタ１０は、図４に示すように、その開口部１０ａをフェースプレート２の開口部５の縁部に接着することにより、電池収納空間８とシェル内部空間９を隔てることになる。１２，１３はケース体３の内部に設置された電気部品に電池Ｂからの電力を供給するための電池接片である。
【００１６】
そして、図２と図４に示すように、電池接片１２，１３のうち、電池収納空間８とシェル内部空間９を跨ぐ部位１２ａ，１３ａがフェースプレート２内に埋設され、一端部１２ｂ，１３ｂが電池収納空間８に突出し、他端部１２ｃ，１３ｃがとシェル内部空間９に突出している。一端部１２ｂ，１３ｂには電池Ｂが接触し、他端部１２ｃ，１３ｃにはシェル内部空間９に配置される電気部品の電線などが接続される。電池接片１２，１３の部位１２ａ，１３ａの埋設は、フェースプレート２のシェル内部側表面と同一面まで浅い位置にあってもよい。
【００１７】
このように、電池収納空間８とシェル内部空間９を跨ぐ部位１２ａ，１３ａをフェースプレート２内に埋設することによって、電池収納空間８とシェル内部空間９を連通する隙間が形成されることはない。
【００１８】
以上のように構成された本発明に係る耳穴形補聴器の作用について説明する。電池ホルダ７を開状態にして、ボタン形の電池Ｂを電池ホルダ７に保持させ、電池ホルダ７を閉状態にする。その際、汗や水などの水分が電池収納部８に浸入したとしても、プロテクタ１０が電池収納空間８とシェル内部空間９を完全に隔てているので、電池収納部８に浸入した水分がシェル内部空間９に入り込むことがない。
【００１９】
また、耳穴形補聴器を装用している時に、汗が電池ホルダ７の蓋部７ａとフェースプレート２の間から浸み込んだとしても、プロテクタ１０が電池収納空間８とシェル内部空間９を完全に隔てているので、電池収納部８に浸入した水分がシェル内部空間９に入り込むことがない。
【００２０】
このように、装用中や電池の装填中などに、水分が電池収納部８に浸入したとしてもシェル内部空間９に入り込むことがないので、シェル内部空間９に配置される電気部品の半田部を浸食することがない。
【産業上の利用可能性】
【００２１】
ケース内部空間を構成する電池収納空間とシェル内部空間を隔てるプロテクタを設けたことにより、装用中や電池の装填中などに、汗や水などの水分が電池収納部に浸入したとしても、その水分がシェル内部空間に入り込むことがないので、電気部品の半田部が浸食されることがなくなり、信頼性が向上して耳穴形補聴器の需要拡大に寄与する。
【図面の簡単な説明】
【００２２】
【図１】本発明に係る耳穴形補聴器の斜視図
【図２】本発明に係る耳穴形補聴器の要部断面図
【図３】プロテクタの斜視図
【図４】プロテクタの組み付け説明図
【符号の説明】
【００２３】
１…シェル、２…フェースプレート、３…ケース体、４…電池収納部、５…開口部、７…電池ホルダ、８…電池収納空間、９…シェル内部空間、１０…プロテクタ、１０ａ…開口部、１２，１３…電池接片、Ｂ…電池。
【図１】
2008293865.tif 000003
【図２】
2008293865.tif 000004
【図３】
2008293865.tif 000005
【図４】
2008293865.tif 000006